(57)【特許請求の範囲】
【請求項１】
マスクが備える一対の耳掛け紐間を繋ぎ当該マスクを首掛け可能にするストラップであって、上記一対の耳掛け紐にそれぞれ係合する一対のクリップ体と、該各クリップ体間に存し該各クリップ体と一体化したスリング体とから成り、上記クリップ体は係合プレートと、該係合プレートに設けた貫通孔と、該貫通孔に上記耳掛け紐を導くスリットを備え、上記各クリップ体及び上記スリング体を複層構造の可撓性を有するプラスチック材料で一体成形すると共に、上記クリップ体の上記係合プレートに設けたスリットを上記スリング体の長手方向と直交する方向に沿って且つ拡開可能に設けたことを特徴とするマスク用ストラップ。
【請求項２】
上記スリング体を帯状とすると共に上記各クリップ体の係合プレートと同厚としたことを特徴とする請求項１記載のマスク用ストラップ。
【請求項３】
上記係合プレートの自由端部を凸弧状とすると共に、上記貫通孔を丸孔とすることを特徴とする請求項１又は請求項２に記載のマスク用ストラップ。
【請求項４】
上記クリップ体における係合プレートの基端部を延長してアピール部を形成したことを特徴とする請求項１及至請求項３の何れかに記載のマスク用ストラップ。
【発明の詳細な説明】
【技術分野】
【０００１】
本発明は、ユーザーの鼻や口を覆うように装着する衛生用マスクの耳掛け紐に取り付けて、当該マスクを首掛け可能にする、マスク用ストラップに関するものである。なお、本書において、「耳掛け紐」とはユーザーの耳に掛ける部分をいい、たとえばシート体を型抜きして形成したマスクのように、耳に掛ける部分が紐状ではなく帯状のものも含むものとする。
【背景技術】
【０００２】
衛生用具たるマスクを一時的に外したときに、当該マスクを清潔に保管しなければ、不衛生なマスクを再使用することとなり、本末転倒である。そのため、下記特許文献１，２に示すように、マスクを清潔に保つために、マスクが備える一対の耳掛け紐間を繋ぎ当該マスクを首掛け可能にするストラップが種々開発されている。
【先行技術文献】
【特許文献】
【０００３】
【特許文献１】特開２０１１−１６１１８６号公報
【特許文献２】実用新案登録第３２２８７２６号公報
【発明の概要】
【発明が解決しようとする課題】
【０００４】
上述のように、マスク用ストラップでマスクを首掛けすれば、当該マスクをどこにも触れずに空中で保管することができるので衛生的であるが、そのためには、ストラップ両端のクリップ体をマスクの各耳掛け紐に適切且つ確実に取り付ける必要がある。
【０００５】
他方、マスクの首掛け時にストラップやマスクがどこかに引っかかってしまったとき等、不用意にユーザーの首に負担がかかるおそれがあるときには、首掛け状態を解除して安全性を確保する必要もある。
【０００６】
上記特許文献１のマスク用ストラップは、ストラップ両端のクリップ体の詳細は開示しておらず、クリップ体を耳掛け紐にどのように係合させるかは全く開示していないが、安全性の確保については、ストラップの中央部に分離とめ具を設け、マスクを首掛けしているときに、マスクやストラップに大きな力が加わった場合には上記分離とめ具によってストラップを二つに分離することにより、安全を確保できることを開示している。
【０００７】
しかし、上記特許文献１のマスク用ストラップは、分離とめ具によって安全性を確保できるとしても、分離とめ具の存在によってストラップ自体の見栄えやそのストラップを装着したときの見栄えが大きく損なわれると共に、首掛け時にはユーザーの首に分離とめ具が当たってしまい、不快な思いをするおそれがある。加えて、耳掛け紐への適切且つ確実な取り付けについては何ら考慮していない。
【０００８】
また、上記特許文献２のマスク用ストラップは、ストラップ両端に設けたクリップ体をマスクの耳掛け紐を巻き付けることができる螺旋部として構成することを開示している。
【０００９】
よって、上記特許文献２のマスク用ストラップは、クリップ体たる螺旋部にマスクの耳掛け紐を巻き付ければ容易に取り付けることができるが、その巻き付け方によっては、取り外すことが困難となり、首掛け時に安全性を確保できないおそれが高いものである。
【課題を解決するための手段】
【００１０】
本発明は、容易にマスクの耳掛け紐へ取り付けることができると共に、首掛け時にはマスクを適切且つ確実に保持することができる一方、安全性も確保できる、比類なきマスク用ストラップを提供する。
【００１１】
要述すると、本発明に係るマスク用ストラップは、マスクが備える一対の耳掛け紐間を繋ぎ当該マスクを首掛け可能にするストラップであって、上記一対の耳掛け紐にそれぞれ係合する一対のクリップ体と、該各クリップ体間に存し該各クリップ体と一体化したスリング体とから成り、上記クリップ体は係合プレートと、該係合プレートに設けた貫通孔と、該貫通孔に上記耳掛け紐を導くスリットを備えることにより、上記クリップ体を耳掛け紐に容易に取り付けることができると共に、両者を適切且つ確実に係合させることができる。また、この係合状態を安全性を確保する場面では容易に解くことができる。
さらに、上記各クリップ体及び上記スリング体を複層構造の可撓性を有するプラスチック材料で一体成形することにより、可撓性と強度を確保しながら、肌触りや意匠性も考慮したマスク用ストラップとすることができる。
加えて、上記クリップ体のスリットを上記スリング体の長手方向と直交する方向に沿って且つ拡開可能に設けることにより、耳掛け紐への取り付けを容易としながら適切且つ確実に行うことができる。加えて、首掛け時に大きな力が加わったときには安全性確保のため耳掛け紐との係合状体を素早く解くことができる。
【００１２】
好ましくは、上記スリング体を帯状とすると共に上記各クリップ体の係合プレートと同厚としたことにより、可撓性を確保しつつ見栄えよく仕上げることができる。
【００１３】
また、上記係合プレートの自由端部を凸弧状とすると共に、上記貫通孔を丸孔とすることにより、首掛け時のマスクの回動をスムーズにすると共に、係合プレートの自由端がユーザーの身体に触れる場合の危険性を回避することができる。
【００１４】
好ましくは、上記クリップ体における係合プレートの基端部を延長してアピール部を形成することにより、当該アピール部に標章を表示する等して意匠性を大幅に向上することができる。
【発明の効果】
【００１７】
本発明に係るマスク用ストラップによれば、クリップ体の耳掛け紐への係合を容易にしつつ適切且つ確実に行うことができる。加えて、マスクの首掛け時における安全性も確保する。
【００１８】
また、本発明に係るマスク用ストラップは、クリップ体とスリング体の一体構造により、ミニマルデザインながらも高度な意匠性を有しており、日常品と認識され易いマスク用ストラップをファッションアイテムへと昇華させることができる。
【図面の簡単な説明】
【００１９】
【図１】実施例１に係るマスク用ストラップのマスク装着時の使用状態を示す説明図である。
【図２】実施例１に係るマスク用ストラップのマスク非装着時の使用状態を示す説明図である。
【図３】実施例１に係るマスク用ストラップのマスクへの取り付け方を示す説明図である。
【図４】実施例１に係るマスク用ストラップの正面図である。
【図５】実施例１に係るマスク用ストラップの平面図である。
【図６】実施例１に係るマスク用ストラップの右側面図である。
【図７】実施例２に係るマスク用ストラップの正面図である。
【図８】実施例２に係るマスク用ストラップの背面図である。
【図９】実施例２に係るマスク用ストラップの平面図である。
【図１０】実施例２に係るマスク用ストラップの右側面図である。
【図１１】実施例２に係るマスク用ストラップのマスク装着時の使用状態を示す説明図である。
【図１２】実施例２に係るマスク用ストラップのマスク非装着時の使用状態を示す説明図である。
【図１３】マスク首掛け時にマスク又はストラップの何れかに強い力が加わったときのクリップ体の状態を示す説明図である。
【発明を実施するための形態】
【００２０】
以下、本発明に係るマスク用ストラップの好適な実施例を図１乃至図１３に基づき説明する。なお、図４，図５，図７乃至図９の中間省略部分は図面上約３８２ｍｍである。
【００２１】
本発明に係るマスク用ストラップ１は、図１，図２及び図１１，図１２に示すように、マスクＭが備える一対の耳掛け紐Ｍａ間を繋ぎ当該マスクＭを首掛け可能にするためのストラップである。図１，図１１に示すように、ユーザーＵがマスクＭを装着している時には、背中側に垂れ下がり、図２，図１２に示すように、ユーザーＵがマスクＭを外したとき（装着していないとき）には、ユーザーＵの首の後ろに引っかかり、マスクＭを首掛けすることができるため、外したマスクＭを空中に保持して清潔に保つことができる。
【００２２】
＜基本構造＞
図１乃至図６は実施例１に係るマスク用ストラップ１を示しており、図７乃至図１２は実施例２に係るマスク用ストラップ１を示しており、両者の基本構造は同じである。
【００２３】
すなわち、本発明に係るマスク用ストラップ１は、図４，図５又は図７，図８に示すように、ユーザーＵの首に引っかかるスリング体２と、該スリング体２の両端部にそれぞれ一体的に設けられたクリップ体３とから成る基本構造を有している。換言すると、本実施例に係るマスク用ストラップ１は、マスクＭの一対の耳掛け紐Ｍａにそれぞれ係合する一対のクリップ体３と、該各クリップ体３間に存し該各クリップ体３と一体化したスリング体２とから成る。
【００２４】
本発明に係るマスク用ストラップ１にあっては、上述のように、スリング体２と各クリップ体３とが一体構造となっており、素材としては、好ましくは、ポリプロピレン（ＰＰ）、ポリエチレン（ＰＥ）、ポリ塩化ビニル（ＰＶＣ）、ポリエチレンテレフタート（ＰＥＴ）、ポリカーボネート（ＰＣ）、アクリル樹脂、シリコーン樹脂及びこれらの共重合体、アロイ又は組み合わせ等のプラスチック材料から可撓性、強度、硬度、肌触り等を考慮して選択し、金具は一切用いない。さらに好ましくは上記プラスチック材料の複層構造とし、可及的に薄くしつつ適切な強度や可撓性を発揮できるようにする。また、このように、プラスチック材料を用いることにより、カラーリングを自由に行うことができ、たとえばクリアカラーにする等、意匠性を向上することもできる。
【００２５】
＜スリング体＞
【００２６】
スリング体２は、マスクＭの首掛けが可能な程度に長尺の条材であり、両端部にクリップ体３を一体に設けることができれば、特に形状に限定はないが、好ましくは、図４，図７，図８に示すように、帯状を呈し、図５，図９に示すように、後述する各クリップ体３の係合プレート４と同厚とする。これにより、簡易構造ながらも可撓性と強度を両立させた構造となると共に、ミニマルデザインながら高度な意匠性を保有することになる。
【００２７】
また、スリング体２の短手方向の幅は、必要な可撓性や強度を有する範囲内で、可及的に細くして、小型化及び軽量化を図ることができる。たとえば、３ｍｍ〜６ｍｍの幅とする。
【００２８】
＜クリップ体＞
クリップ体３は、図４，図７，図８に示すように、実施例１，２のいずれの場合も、耳掛け紐Ｍａに係合する係合プレート４と、該係合プレート４に設けた貫通孔５と、該貫通孔５に耳掛け紐Ｍａを導くスリット６を備える。係合プレート４は０．５ｍｍ〜１．５ｍｍ程度の厚さ、９ｍｍ〜１３ｍｍの幅とし、強度、硬度、可撓性等によって適宜調整することができる。
【００２９】
好ましくは、係合プレート４の自由端部４ａは凸弧状にする。係合プレート４の自由端部４ａは、クリップ体３の自由端部でもあり、ひいてはマスク用ストラップ１の自由端部でもあるので、角のない形状にしてユーザーＵを傷つけないようにすると同時に、耳掛け紐Ｍａとの干渉を避けるために凸弧状とする。
【００３０】
また、係合プレート４の貫通孔５は丸孔とするのが望ましい。これにより、凸弧状の自由端部４ａと相俟って、マスクＭの首掛け時に貫通孔５内に挿通されている耳掛け紐Ｍａの回動をスムーズにし、もって当該マスクＭの回動をスムーズにする。
【００３１】
係合プレート４に設けられたスリット６は、耳掛け紐Ｍａをワンタッチで貫通孔５に導くことができ、クリップ体３の耳掛け紐Ｍａへの取り付けを容易にする。
【００３２】
スリット６は、耳掛け紐Ｍａを貫通孔５に導くことができれば方向性の限定は特にないが、好ましくは、図４，図７に示すように、スリング体２の長手方向（ストラップ１全体の長手方向）に直交する方向に沿って設ける。
【００３３】
上述のように、スリット６をスリング体２の長手方向に直交する方向に沿って設けることにより、容易に耳掛け紐Ｍａに係合プレート４、すなわちクリップ体３を取り付けることができる。図３に示すように、各クリップ体３をそれぞれ耳掛け紐Ｍａに近づけて、スリット６を外側に向けた状態で係合プレート４を矢印の方向に動かせば、容易に各クリップ体３を耳掛け紐Ｍａに取り付けることができる。
【００３４】
また、スリット６を上述の向きで設けることにより、図１，図１１に示すようなマスク装着時はもちろんのこと、図２，図１２に示すようなマスク首掛け時も、係合プレート４の貫通孔５内で有効に耳掛け紐Ｍａを保持することができる。他方、図２，図１２のマスク首掛け時に、マスクＭ側又はマスク用ストラップ１側に不用意に大きな力が加わると、図１３に示すように、耳掛け紐Ｍａとスリング体２間でクリップ体３が引っ張られてスリット６が拡開するが、その方向性により耐えることができると共に、もう一段階の力が加わるとスリット６がさらに拡開して耳掛け紐Ｍａと係合プレート４（クリップ体３）の係合状態が解かれるので、ユーザーＵの首に負担がかかることなく安全性を確保する。
【００３５】
また、係合プレート４の基端部４ｂは、図４に示す実施例１のマスク用ストラップ１のように、自由端部４ａの凸弧状と連続する円弧状にして、係合プレート４全体を円盤状にする他、図７に示す実施例２のマスク用ストラップ１のように、係合プレート４の基端部４ｂを延長してアピール部７を形成することができる。図７，図１１，図１２に示すように、アピール部７には、たとえば標章Ｔを表示することができ、意匠性を大幅に向上することができる。
【００３６】
以上のとおり、本発明に係るマスク用ストラップ１によれば、クリップ体３の耳掛け紐Ｍａへの係合を容易にしつつ適切且つ確実に行うことができる。加えて、マスクＭの首掛け時における安全性も確保する。
【００３７】
また、本発明に係るマスク用ストラップ１は、スリング体２とクリップ体３の一体構造により、ミニマルデザインながらも高度な意匠性を有しており、日常品と認識され易いマスク用ストラップをファッションアイテムへと昇華させることができる。
【符号の説明】
【００３８】
１…マスク用ストラップ、
２…スリング体、
３…クリップ体、
４…係合プレート、４ａ…自由端部、４ｂ…基端部、
５…貫通孔、
６…スリット、
７…アピール部、
Ｍ…マスク、Ｍａ…耳掛け紐、
Ｔ…標章、
Ｕ…ユーザー。
【要約】
【課題】  容易にマスクの耳掛け紐へ取り付けることができると共に、首掛け時にはマスクを適切且つ確実に保持することができる一方、安全性も確保できる、比類なきマスク用ストラップの提供。
【解決手段】  本発明に係るマスク用ストラップは、マスクが備える一対の耳掛け紐間を繋ぎ当該マスクを首掛け可能にするストラップであって、上記一対の耳掛け紐にそれぞれ係合する一対のクリップ体と、該各クリップ体間に存し該各クリップ体と一体化したスリング体とから成り、上記クリップ体は係合プレートと、該係合プレートに設けた貫通孔と、該貫通孔に上記耳掛け紐を導くスリットを備えることにより、上記クリップ体を耳掛け紐に容易に取り付けることができると共に、両者を適切且つ確実に係合させることができる。また、この係合状態を安全性確保場面では容易に解くことができる。
【選択図】  図１【図１】
0006955289.tif 000002
【図２】
0006955289.tif 000003
【図３】
0006955289.tif 000004
【図４】
0006955289.tif 000005
【図５】
0006955289.tif 000006
【図６】
0006955289.tif 000007
【図７】
0006955289.tif 000008
【図８】
0006955289.tif 000009
【図９】
0006955289.tif 000010
【図１０】
0006955289.tif 000011
【図１１】
0006955289.tif 000012
【図１２】
0006955289.tif 000013
【図１３】
0006955289.tif 000014